(57)【要約】【課題】休業日の設定を容易に行なう。【解決手段】（ａ）のように、ショーケースの照明のオン時刻とオフ時刻の間の時刻（１）にスケジュールキーを１回押下すると、１日停止の表示器３ｎが点灯する。オフ時刻（22:00）になると、表示器３ｎが点滅表示とされ、翌日のスケジュール制御のオン制御の禁止が表示される。翌日のオフ時刻になると、表示器３ｎが消灯し、通常のスケジュール制御に戻る。（ｂ）のように、スケジュールキーを２回押下したときは、２日停止の表示器３ｏが点灯し、当日のオフ時刻（２）になると表示器３ｏが点滅し、翌日のオフ時刻（３）になると、１日停止の表示器３ｎが点滅し、翌々日のオフ時刻（４）になると表示器３ｎが消灯して、スケジュール制御のオン制御が２日間禁止され、その状態も表示される。スケジュール制御を禁止する替わりに特別なプログラムに置き換えることもできる。【選択図】図１６
2008047322.tif 000002
【特許請求の範囲】
【請求項１】
冷却装置の照明をスケジュール制御する冷却装置の集中監視装置であって、
あらかじめ設定されている点灯時刻及び消灯時刻に従って前記照明のオン制御及びオフ制御を行うスケジュール制御手段と、
前記照明のオン制御の禁止を設定する操作設定手段と、
前記操作設定手段によりオン制御の禁止が設定されているときに、前記スケジュール制御手段によるオン制御の実行を禁止する手段と、
前記オン制御の禁止が設定されている状態であることを表示する表示手段と、
禁止されたオン制御に対応するオフ制御の時刻を経過したときに、前記オン制御の禁止の設定を解除する手段と
を備えることを特徴とする冷却装置の集中監視装置。
【請求項２】
前記操作設定手段は、連続する複数日について前記オン制御の禁止を設定することができるものであることを特徴とする請求項１記載の冷却装置の集中監視装置。
【請求項３】
前記操作設定手段は、操作キーの操作回数に対応して、連続してオン制御を禁止する日数を設定するようになされているものであり、
前記オン制御の実行を禁止する手段は、オン制御が禁止された日数がゼロでないときに、前記スケジュール制御手段によるオン制御の実行を禁止するものであり、
前記オン制御の禁止の設定を解除する手段は、オン制御が禁止された日数を、禁止されたオン制御に対応するオフ制御の時刻が経過するときに１ずつ減算するものである
ことを特徴とする請求項２記載の冷却装置の集中監視装置。
【請求項４】
前記表示手段は、前記照明のオン制御の時刻とオフ制御の時刻の間に前記操作設定手段によりオン制御の禁止が設定されたときに連続点灯状態とされ、前記オフ制御の時刻が経過したときに点滅状態とされ、前記禁止されたオン制御に対応するオフ制御の時刻が経過したときに消灯状態とされる表示器であることを特徴とする請求項１ないし３のいずれかに記載の冷却装置の集中監視装置。
【請求項５】
前記操作設定手段により前記オン制御の実行を禁止したときに、前記あらかじめ設定されている点灯時刻及び消灯時刻とは別に設定された点灯時刻及び消灯時刻に従って前記照明のオン制御及びオフ制御を行う手段を有することを特徴とする請求項１記載の冷却装置の集中監視装置。
【発明の詳細な説明】
【技術分野】
【０００１】
本発明は、複数台の冷却装置の照明を一括制御する冷却装置の集中監視装置に関する。
【背景技術】
【０００２】
複数のショーケース等の照明を一括管理するシステムが提案されている（特許文献１）。
この提案されたシステムにおいては、ショーケースの照明の点灯時刻と消灯時刻からなる点／消灯スケジュールを複数設定することができるようにし、該設定された点／消灯スケジュールから選択されたスケジュールに基づいてショーケースの照明の点灯と消灯を制御するようにしている。また、カレンダーの日付に対し点／消灯スケジュールを割り当てることも提案されている。
【特許文献１】特開２００１−２７２１６１号公報
【発明の開示】
【発明が解決しようとする課題】
【０００３】
上記提案されているシステムでは、あらかじめ点灯時刻と消灯時刻からなる点／消灯スケジュールを複数設定しておき、その点／消灯スケジュールを選択することで、照明の点灯時刻／消灯時刻を変更しており、休業日の際は、休業日の前夜に全ての切換スイッチを停止に設定し、休業日後の翌朝に切換スイッチを該当する点／消灯スケジュールに設定しなおす必要がある。その為、休業日の翌朝に作業者が操作を忘れると、照明が点灯しないという問題があった。
また、複数のショーケース等を一括管理するシステム監視装置に設定された年間カレンダー等に休業日を登録することも考えられるが、この場合、プログラムも複雑になり、マニュアル等によりシステムに特別な知識を有する人のみが設定情報の変更が可能となり、システム監視装置の運用が簡単でないという問題がある。
近年、スーパーマーケットなどにおいては、年中無休の営業形態をとっているところが多く、正月などの特別な休日に不定期に１、２日程度休業するという店舗が多い。このような営業形態に即して休業日の設定を容易に行うことができる冷却装置の集中監視装置が求められている。
【０００４】
そこで本発明は、スケジュール制御における休業日等の設定が簡単な操作によって可能な冷却装置の集中監視装置を提供することを目的としている。
【課題を解決するための手段】
【０００５】
上記目的を達成するために、本発明の冷却装置の集中監視装置は、冷却装置の照明をスケジュール制御する冷却装置の集中監視装置であって、あらかじめ設定されている点灯時刻及び消灯時刻に従って前記照明のオン制御及びオフ制御を行うスケジュール制御手段と、前記照明のオン制御の禁止を設定する操作設定手段と、前記操作設定手段によりオン制御の禁止が設定されているときに、前記スケジュール制御手段によるオン制御の実行を禁止する手段と、前記オン制御の禁止が設定されている状態であることを表示する表示手段と、禁止されたオン制御に対応するオフ制御の時刻を経過したときに、前記オン制御の禁止の設定を解除する手段とを備えるものである。
また、前記操作設定手段は、連続する複数日について前記オン制御の禁止を設定することができるものである。
さらに、前記操作設定手段は、操作キーの操作回数に対応して、連続してオン制御を禁止する日数を設定するようになされているものであり、前記オン制御の実行を禁止する手段は、オン制御が禁止された日数がゼロでないときに、前記スケジュール制御手段によるオン制御の実行を禁止するものであり、前記オン制御の禁止の設定を解除する手段は、オン制御が禁止された日数を、禁止されたオン制御に対応するオフ制御の時刻が経過するときに１ずつ減算するものとされている。
さらにまた、前記表示手段は、前記照明のオン制御の時刻とオフ制御の時刻の間に前記操作設定手段によりオン制御の禁止が設定されたときに連続点灯状態とされ、前記オフ制御の時刻が経過したときに点滅状態とされ、前記禁止されたオン制御に対応するオフ制御の時刻が経過したときに消灯状態とされる表示器とされているものである。
さらにまた、前記操作設定手段により前記オン制御の実行を禁止したときに、前記あらかじめ設定されている点灯時刻及び消灯時刻とは別に設定された点灯時刻及び消灯時刻に従って前記照明のオン制御及びオフ制御を行う手段を有するものである。
【発明の効果】
【０００６】
本発明の冷却装置の集中監視装置によれば、特別な休日（休業日）等のスケジュール制御の設定を簡単な操作で容易に行うことができる。
また、休業日等のスケジュール制御の実行を終了すると通常の営業日のスケジュール制御に自動的に戻ることから、設定操作が簡単で確実なスケジュール制御を実行することができる。
さらに、設定されたスケジュール制御の状態及び実行状態が監視者に分かりやすく常時確認できることから、特別な休日等のスケジュール制御の設定及び実行を間違いなく確実に実施することができる。
さらにまた、通常のスケジュールに替えて特別なプログラムによるスケジュール制御を実行させることも簡単な操作で容易に行うことができる。
【発明を実施するための最良の形態】
【０００７】
図１は本発明の冷却装置の集中監視装置が適用されるシステムの全体構成を示すシステム構成図、図２は集中監視装置である上位制御機器のブロック図、図３は上位制御機器の外観図、図４は上位制御機器の表示・操作部の外観図である。なお、本発明は、各種の冷却装置に使用することができるが、ここでは、冷却装置がショーケースであるものとして説明する。
図１において、電子コントローラ１は各ショーケース２ごとに設置されており、通信路を介して上位制御機器２０と接続されている。各電子コントローラ１は、各ショーケース２の庫内温度の制御や除霜制御を行うとともに、その運転状態を示す情報などを上位制御機器２０に送信し、また、上位制御機器２０からの照明点灯指令及び消灯指令により、それぞれに接続されたショーケース２の照明のオンオフ制御を行う。
上位制御機器２０は、図２に示すように、複数の電子コントローラ１と接続し照明の点灯指令（オン指令）及び消灯指令（オフ指令）などを送信し、運転状態を示す情報などを受信する通信部２１、複数の電子コントローラ１からの運転状態を示す情報などを記憶する記憶部２２、スケジュール時刻（照明の点灯時刻（オン時刻）及び消灯時刻（オフ時刻））などの各種設定値を保存する不揮発性メモリからなる保存部２３、スケジュール時刻などを表示、設定する第１の表示・操作部（表示・操作部Ａ）２４、スケジュール制御の実行や停止状態などを表示、設定する第２の表示・操作部（表示・操作部Ｂ）２５、現在時刻を管理する時計管理部２６、スケジュール制御処理などの各種処理を実行するマイクロコンピュータからなる判断部２７で構成されている。
【０００８】
図３は、本発明の集中監視装置である上位制御機器２０の一実施の形態の外観図である。この図に示すように、上位制御機器２０の筐体の表面には、前記表示・操作部Ａ（２４）及び表示・操作部Ｂ（２５）などが設けられている。
図４の（ａ）は表示・操作部Ａ（２４）を拡大して示す図であり、（ｂ）は表示・操作部Ｂ（２５）を拡大して示す図である。
表示・操作部Ａ（２４）は、現在時刻（時、分）、スケジュール制御のオン時刻及びオフ時刻の設定操作及び表示を行うためのものであり、図４の（ａ）に示すように、それぞれ２桁の７セグメントの表示器３ａ、３ｂ及び３ｃと、アップキー３ｄ、ダウンキー３ｅ、選択キー３ｆ及び確定キー３ｇの４つの操作キーが設けられている。ここで、７セグメントの表示器３ａ〜３ｃとしては、例えば、ＬＥＤ、蛍光表示管、液晶表示器などが用いられる。
表示器３ａは、現在時刻及びスケジュール時刻の‘時’を表示する時表示器であり、「００」から「２３」が表示される。運用時は、通常、現在時刻の‘時’が表示される。
表示器３ｂは、現在時刻及びスケジュール時刻の‘分’を表示する分表示器であり、「００」から「５９」が表示される。運用時は、通常、現在時刻の‘分’が表示される。
表示器３ｃは、各種設定モードを表示するモード設定表示器である。このモード設定表示器３ｃには、オン時刻を設定するモードのときは「ｏｎ」、オフ時刻を設定するモードのときは「ｏＦ」が表示される。運用時は、通常、消灯されている。
選択キー３ｆは、モード設定表示器３ｃ、時表示器３ａ、分表示器３ｂを順次選択する操作キーである。
アップキー３ｄ及びダウンキー３ｅは、前記選択キー３ｆで選択された表示器３ａ〜３ｃの内容（例えば、選択された表示器が３ａの場合は「００」〜「２３」、３ｂの場合は「００」〜「５９」、３ｃの場合は「ｏｎ」又は「ｏＦ」）を選択する操作キーである。表示器３ａ又は３ｂに表示されている内容は、アップキー３ｄを操作するごとに１つずつ増加し、ダウンキー３ｅを操作するごとに１つずつ減少する。
確定キー３ｇは選択キー３ｆ、アップキー３ｄ、ダウンキー３ｅの操作により選択されたスケジュール制御のオン時刻、オフ時刻などを確定する操作キーである。
【０００９】
次に、図４の（ｂ）に示す表示・操作部Ｂ（２５）について説明する。
この図に示すように、スケジュール制御の実行や停止の設定操作及び表示を行うための表示・操作部Ｂ（２５）には、ショーケースの全照明を即時点灯するための全点灯キー３ｈ、ショーケースの全照明を即時消灯するための全消灯キー３ｉ、キャノピーの照明（作業灯）を点灯させるための点灯キー３ｊ、及びスケジュール制御の設定を行うためのスケジュールキー３ｋが設けられている。
また、全点灯／全消灯の状態を示す表示器３ｌ、キャノピーの点灯状態を示す表示器３ｍ、及び、照明のスケジュール制御の状態を表すための表示器３ｎ、３ｏ及び３ｐが設けられている。ここで、表示器３ｎはスケジュール制御のオン制御を１日停止することが設定されていることを表示する１日停止の表示器、表示器３ｏはスケジュール制御のオン制御を２日間停止することが設定されている状態であることを表示する２日停止の表示器、３ｐはスケジュール制御のオン制御の連続的な停止が設定されている状態であることを表示する停止の表示器である。これらの表示器としては例えばＬＥＤが用いられる。
【００１０】
スケジュールキー３ｋは、通常のスケジュール制御、スケジュール制御のオン制御の１日停止、スケジュール制御のオン制御の２日停止及びスケジュール制御の停止の各状態を選択して設定する操作キーである。
詳細については後述するが、スケジュールキー３ｋが１回押下されると、１日停止の表示器３ｎが点灯し、スケジュール制御の次回（翌日分）のオン制御が禁止されるように設定される。前記キー３ｋをさらに１回（合計２回）押下すると、１日停止の表示器３ｎが消灯して、２日停止の表示器３ｏが点灯し、オン制御が２回連続して（翌日と翌々日分）禁止されるように設定される。前記キー３ｋをさらに１回（合計３回）押下すると、２日停止の表示器３ｏが消灯し、停止の表示器３ｐが点灯して、スケジュール制御の停止の状態に設定される。前記キー３ｋをさらに１回（合計４回）押下すると、すべての表示器（３ｎ、３ｏ、３ｐ）が消灯され、前記保存部２３に保存されたスケジュール時刻による通常のスケジュール制御が行われる。
このように、本発明においては、スケジュールキー３ｋの操作及び時間の経過に従って表示器３ｎ〜３ｐの点灯状態が制御され、この点灯状態に基づいてスケジュール制御の停止及び実行が制御される。また、この点灯状態をみることにより操作者はスケジュール制御の状態を確認することが可能となる。
また、上述のようにスケジュール制御のオン制御を禁止するだけではなく、通常のスケジュールに替えて別途設定された特別なスケジュール時刻に基づくスケジュール制御を実行させるようにすることもできる。例えば、特別なイベント等によりスケジュール時刻を特別なスケジュール時刻に変更したいときなどに有効である。
【００１１】
（時計の設定）
前記表示・操作部Ａ（２４）を用いて現在時刻を設定する方法について説明する。
図２の時計管理部２６に一度も時刻が設定されていないときには、時表示器３ａは「００」を点滅表示している。選択キー３ｆ、アップキー３ｄ、ダウンキー３ｅにて現在時刻「００」〜「２３」（時）を選択して、確定キー３ｇを押すことで、時表示器３ａが連続表示となり、続いて分表示器３ｂが「００」を点滅表示する。
続いて、選択キー３ｆ、アップキー３ｄ、ダウンキー３ｅにて現在時刻「００」〜「５９」（分）を選択して、確定キー３ｇを押すことで、分表示器３ｂが連続表示となり、設定された時刻（時、分）が前記時計管理部２６に格納される。時計管理部２６にはカレンダータイマー等が設けられており、電池等により停電時も時刻がカウントされている。
なお、時刻の修正が必要な場合は、モード設定表示器３ｃに例えば「０８」を割り当て、時刻修正のモードとしてもよい。時刻設定の方法については、前記方法と同じ方法でよい。また、表示器３ａ、３ｂが時刻表示している場合、３ａ、３ｂの表示器のいずれかのドット３ｔを点滅するようにしてもよい。
【００１２】
（スケジュール時刻の設定）
次に、スケジュール時刻、すなわち、照明の点灯時刻（オン時刻）と消灯時刻（オフ時刻）の設定方法について説明する。
前記表示・操作部Ａ（２４）において、選択キー３ｆが押下されてモード設定表示器３ｃが選択されると、モード設定表示器３ｃには「ｏｎ」が点滅して表示されるとともに、時表示器３ａ及び分表示器３ｂには設定されているオン時刻が表示される。なお、オン時刻のデータが未だ未入力の場合は、例えば、時表示器３ａ及び分表示器３ｂの「．」（ドット３ｔ）のみが表示される。
前記モード設定表示器３ｃに「ｏｎ」が点滅して表示されているときに、アップキー３ｄ又はダウンキー３ｅを押下することで前記モード設定表示器３ｃは「ｏｎ」又は「ｏＦ」の表示を選択することができる。
前記モード設定表示器３ｃに「ｏｎ」又は「ｏＦ」の表示が点滅しているときに、確定キー３ｇを押下することで、「ｏｎ」又は「ｏＦ」の表示が連続点灯となり、モードが決定される。「ｏｎ」を選択したときにはオン時刻の設定モードとなり、「ｏＦ」を選択したときにはオフ時刻の設定モードとなる。
ここで、前記モードが決定されたことで時表示器３ａが点滅を開始する。この状態で、アップキー３ｄ又はダウンキー３ｅを押下することで時（「０」〜「２３」）を選択し、確定キー３ｇを押下することで前記モードの時刻（時）が確定し、時表示器３ａが連続点灯となり、続いて、分表示器３ｂが点滅する。前記時表示器３ａの場合と同様の手順でアップキー３ｄ又はダウンキー３ｅを押下することで分（「０」〜「５９」）を選択し、確定キー３ｇを押下することで当該モードのスケジュール時刻が確定し、前記保存部２３に保存される。
同様の手法で、他方のモード（「ｏｎ」又は「ｏＦ」）のスケジュール時刻を確定することができる。
【００１３】
また、上述した特別なスケジュール時刻を設定する場合には、前記表示・操作部Ｂ（２５）におけるスケジュールキー３ｋを１回又は２回押下して、１日停止の表示器３ｎ又は２日停止の表示器３ｏが点灯した後、所定時間（例えば、５秒間）以内に、前述と同様に、アップキー３ｄ又はダウンキー３ｅにより「ｏｎ」又は「ｏＦ」を選択して、スケジュール時刻の設定操作を開始することができる。１日停止の表示器３ｎが点灯しているときに行われるスケジュール時刻の設定操作により、それに対応して停止されるスケジュールに替えて実行される特別なスケジュール時刻（特別なプログラム１）が設定され、２日停止の表示器３ｏが点灯しているときに行われるスケジュール時刻の設定操作により、それに対応して停止されるスケジュールに替えて実行される特別なスケジュール時刻（特別なプログラム２）が設定される。設定された特別なスケジュール時刻は前記保存部２３に通常のスケジュール時刻とは別に格納される。
なお、時刻及びスケジュールのオン及びオフ時刻が途中まで入力されて所定時間（例えば、１０秒）放置されたときは、途中まで入力されたキー入力データは捨てられる。
【００１４】
図５は、前記保存部２３のスケジュール時刻保存部にスケジュール時刻が保存されている様子を示す図である。
図５の（ａ）に示した例は、通常のスケジュール（オン時刻が10:00、オフ時刻が22:00）に加えて、オン時刻が9:30、オフ時刻が翌日の1:30である特別なプログラム１が設定されており、特別なプログラム２は設定されていない場合を示している。設定されていないときには、空値（ヌル）を示すコード（--:--）が書き込まれている。
また、図５の（ｂ）は、上述と同じ通常のスケジュールと特別なプログラム１に加え、オン時刻が9:30、オフ時刻が21:30の特別なプログラム２が設定されている場合を示している。
このように、前記保存部２３に設けられるスケジュール時刻保存部には、通常のスケジュール、特別なプログラム１及び特別なプログラム２を保存する領域が設けられており、前述したスケジュール時刻の設定操作により設定されたスケジュール時刻（プログラム）がそれぞれ対応する領域に格納されるようになされている。
スケジュール制御手段である前記判断部２７は、前記時計管理部２６の現在時刻と前記保存部２３のスケジュール時刻保存部に保存されたスケジュールのオン時刻及びオフ時刻とを比較し、オン時刻となったときに照明オン指令を前記通信部２１を介して各電子コントローラ１に送信し、オフ時刻となったときに照明オフ指令を各電子コントローラ１に送信する。各電子コントローラ１は、上位制御機器２０からの前記オン指令又はオフ指令に従って、接続されているショーケース２の照明のオン又はオフの制御を行う。
【００１５】
次に、前記判断部２７により実行されるスケジュール制御に関する処理について、図６〜図１５のフロー図を参照して説明する。ここで、図６はスケジュール制御メイン処理、図７は時刻パターン登録処理、図８はスケジュール状態変更処理、図９は特別なプログラムの入力処理、図１０はオフ出力処理、図１１はオフ出力処理１、図１２はオフ出力処理２、図１３はオフ出力処理３、図１４はオフ出力処理４、図１５はオン出力処理を示す。
図６はスケジュール制御メイン処理のフローチャートである。図示するように、このスケジュール制御メイン処理では、スケジュール時刻登録処理（Ｓ１００）、スケジュール状態変更処理（Ｓ２００）、オフ出力処理（Ｓ３００）及びオン出力処理（Ｓ４００）が順次実行される。このスケジュール制御メイン処理は、前記表示・操作部Ａ（２４）及び前記表示・操作部Ｂ（２５）の各操作キー（３ｄ，３ｅ、３ｆ，３ｇ及び３ｋ）が操作されたとき、及び、所定時間ごと（例えば、１分ごと）に実行される。
【００１６】
図７は、通常のスケジュールを設定する時刻パターン登録処理（Ｓ１００）のフローチャートである。この処理は、前述のようにして表示・操作部Ａ（２４）の操作キー３ｄ、３ｅ、３ｆ及び３ｇの操作により通常のスケジュールの点灯／消灯時刻（オン時刻／オフ時刻）の設定が変更されたときに（ステップＳ１０１）、該変更された通常のスケジュールのオン時刻又はオフ時刻を前記保存部２３のスケジュール時刻保存部における通常のスケジュールの領域に格納する（ステップＳ１０２）処理である。
【００１７】
図８は、前記スケジュール状態変更処理（Ｓ２００）の流れを示すフローチャートである。
この処理では、まず、前記表示・操作部Ｂ（２５）のスケジュールキー３ｋが押下されたか否かを判定し（Ｓ２０１）、押下されていないときは、この処理を終了する。
スケジュールキー３ｋが押下されたときは、前記表示・操作部Ｂ（２５）の表示器３ｎ〜３ｐが全て消灯されているかどうかを判定し（Ｓ２０２）、全て消灯状態であるときには、１日停止の表示器３ｎを点灯（連続点灯）する（Ｓ２０３）。そして、特別なプログラムの入力処理（Ｓ２０４）を実行する。詳細については後述するが、この処理は、前記表示・操作部Ａ（２４）の操作に応じて、特別なプログラム１を設定する処理である。
次に、特別なプログラム１のオン時刻とオフ時刻が設定されているか否かを判定し（Ｓ２０５）、特別なプログラム１のオン時刻とオフ時刻が設定されているときは、現在時刻が通常のスケジュールのオフ時刻と特別なプログラム１のオン時刻の間であるか否かを判定し（Ｓ２０６）、ＹＥＳのときは１日停止の表示器３ｎを点滅状態とし（Ｓ２０８）、ＮＯのときはそのまま、このスケジュール状態変更処理を終了する。
一方、特別なプログラム１が設定されていないときは、現在時刻が通常のスケジュールのオフ時刻とオン時刻の間に時刻であるか否かを判定し（Ｓ２０７）、現在時刻が通常のスケジュールのオフ時刻とオン時刻の間の時刻であるときには点灯した１日停止の表示器３ｎを点滅状態とし（Ｓ２０８）、そうでないときはそのまま、このスケジュール状態変更処理を終了する。
【００１８】
また、前記ステップＳ２０２の判定の結果、表示器３ｎ〜３ｐが全て消灯状態ではないときには、１日停止の表示器３ｎが点灯又は点滅状態であるか否かを判定する（Ｓ２０９）。その結果、１日停止の表示器３ｎが点灯又は点滅しているときには、２日停止の表示器３ｏを点灯（連続点灯）し、１日停止の表示器３ｎを消灯する（Ｓ２１０）。そして、前記特別なプログラムの入力処理へ進む（Ｓ２１１）。詳細については後述するが、この処理は、前記表示・操作部Ａ（２４）の操作に応じて、特別なプログラム２のオン時刻とオフ時刻を設定する処理である。
次に、特別なプログラム２のオン時刻とオフ時刻が前記保存部２３内に設定されているか否かを判定する（Ｓ２１２）。特別なプログラム２が設定されているときは現在時刻が通常のスケジュールのオフ時刻と特別なプログラム２のオン時刻の間であるか否かを判定し、ＹＥＳのときは２日停止の表示器３ｏを点滅状態とし（Ｓ２１５）、ＮＯのときはそのまま、このスケジュール状態変更処理を終了する。
一方、特別なプログラム２が設定されていないときは、現在時刻が通常のスケジュールのオフ時刻とオン時刻の間であるか否かを判定し、ＹＥＳのときは２日停止の表示器３ｏを点滅状態として（Ｓ２１５）、ＮＯのときはそのまま、このスケジュール状態変更処理を終了する。
【００１９】
前記ステップＳ２０９の判定の結果、１日停止の表示器３ｎが点灯又は点滅状態でないときは、２日停止の表示器３ｏが点灯又は点滅状態であるか否かを判定する（Ｓ２１６）。
２日停止の表示器３ｏが点灯又は点滅していたとき（Ｓ２１６がＹＥＳ）は、前記保存部２３に記憶されている特別なプログラム１及び２のオン時刻とオフ時刻をクリアする、すなわち、ヌルを書き込む（Ｓ２１７）。そして、停止の表示器３ｐを点灯し、２日停止の表示器３ｏを消灯する（Ｓ２１８）。表示器３ｐが点灯することで１日停止、２日停止、及び特別なプログラムはクリアされスケジュール制御は全停止状態となる。
そして、現在時刻が通常のスケジュールのオフ時刻とオン時刻の間であるか否かを判定し（Ｓ２１９）、オフ時刻とオン時刻の間であれば停止の表示器３ｐを点滅状態とし（Ｓ２２０）、そうでなければそのまま、このスケジュール状態変更処理を終了する。
一方、２日停止の表示器３ｏが点灯又は点滅状態でないとき（Ｓ２１６がＮＯ）、すなわち停止の表示器３ｐのみが点灯又は点滅しているときは、全ての表示器３ｎ〜３ｐを消灯する（Ｓ２２１）。全ての表示器３ｎ〜３ｐが消灯することで通常のスケジュール制御を実行することになる。そして、このスケジュール状態変更処理を終了する。
【００２０】
図９は、前記ステップＳ２０４とＳ２１１で実行される前記特別なプログラムの入力処理の流れを示すフローチャートである。
この処理では、まず、前記１日停止の表示器３ｎが点灯しているか否かを判定し（Ｓ２３０）、点灯していないときは２日停止の表示器３ｏが点灯しているか否かを判定する（Ｓ２３１）。そして、１日停止の表示器３ｎも２日停止の表示器３ｏも点灯していないときは、この処理を終了する。
１日停止の表示器３ｎが点灯しているときは（Ｓ２３０がＹＥＳ）、所定時間（例えば、５秒間）以内に前記表示・操作部Ａ（２４）により前述したスケジュール時刻の設定操作が行われた否かを判定し（Ｓ２３５，Ｓ２３７）、スケジュール時刻の設定操作が行われた場合には、その操作により入力されたオン時刻とオフ時刻を前記保存部２３のスケジュール時刻保存部の特別なプログラム１のオン時刻とオフ時刻の記憶領域に記憶する（Ｓ２３６）。一方、スケジュール時刻の設定操作が行われることなく所定の時間（５秒間）が経過したときは（Ｓ２３７がＹＥＳ）、そのまま、この特別なプログラムの入力処理を終了する。
また、１日停止の表示器３ｎが消灯しており、２日停止の表示器３ｏが点灯しているときは（Ｓ２３１がＹＥＳ）、前述と同様に、所定時間（例えば、５秒間）以内に前記表示・操作部Ａ（２４）により前述したスケジュール時刻の設定操作が行われた否かを判定し（Ｓ２３２，Ｓ２３４）、スケジュール時刻の設定操作が行われた場合には、その操作により入力されたオン時刻とオフ時刻を前記保存部２３のスケジュール時刻保存部の特別なプログラム２のオン時刻とオフ時刻の記憶領域に記憶する（Ｓ２３３）。一方、スケジュール時刻の設定操作が行われることなく所定の時間（５秒間）が経過したときは（Ｓ２３４がＹＥＳ）、そのまま、この特別なプログラムの入力処理を終了する。
【００２１】
このように、このスケジュール状態変更処理Ｓ２００では、スケジュールキー３ｋの押下に応じて、表示器３ｎ、３ｏ及び３ｐの点灯状態を逐次制御する処理と特別なプログラム１、２の入力処理が行われる。スケジュールキー３ｋを押下するごとに、表示器３ｎ、３ｏ及び３ｐが全て消灯→１日停止の表示器３ｎのみが点灯→２日停止の表示器３ｏのみが点灯→停止の表示器３ｐのみが点灯→表示器３ｎ、３ｏ及び３ｐが全て消灯の順に、状態が順次遷移していく。なお、表示器３ｎと３ｏは、スケジュールキー３ｋが押下されたタイミングが照明がオンとされているときであるときに連続点灯され、照明がオフであるときには点滅されるようになされている。これにより、現在は照明が点灯中であるが次回のオン制御は禁止されること（連続点灯の場合）と、現在は照明が消灯中であり次回のオン制御が禁止又は特別なプログラムにより制御されること（点滅の場合）を区別して表示することができる。また、表示器３ｐも同様に、スケジュールキー３ｋが押下されたタイミングが照明がオンとされているときであるときに連続点灯され、照明がオフであるときには点滅されるようになされている。これにより、現在は照明が点灯中であるが、次回以降のオン制御が禁止されることと、現在は照明が消灯中であり次回以降のオン制御が禁止されることを区別して表示することができる。
【００２２】
図１０は、前記オフ出力処理（Ｓ３００）の処理の流れを示すフロー図である。この図に示すように、オフ出力処理は前記電子コントローラ１に対して照明のオフを指示するオフ指令を送信する処理であるが、スケジュール制御１日停止又は特別なプログラム１に対応するオフ出力処理１（Ｓ３１０）、スケジュール制御２日停止又は特別なプログラム２に対応するオフ出力処理２（Ｓ３３０）、通常のスケジュール制御に対応するオフ出力処理３（Ｓ３５０）、及び、スケジュール停止処理に対応するオフ出力処理４（Ｓ３７０）の４つの処理からなる。
【００２３】
図１１は、前記スケジュール制御１日停止又は特別なプログラム１に対応するオフ出力処理１のフローチャートである。
この処理では、まず、前記１日停止の表示器３ｎが点滅しているか否かを判定し（Ｓ３１１）、点滅していないときは点灯（連続点灯）しているか否かを判定する（Ｓ３１２）。その結果、１日停止の表示器３ｎが点滅も点灯もしていないときは、このオフ出力処理１を終了する。また、１日停止の表示器３ｎが点灯している場合であっても、現在時刻が通常のスケジュールのオフ時刻でないときは（Ｓ３１３がＮＯ）、このオフ出力処理１を終了する。１日停止の表示器３ｎが点灯しており、現在時刻が通常のスケジュールのオフ時刻に一致するときは（Ｓ３１３がＹＥＳ）、点灯している１日停止の表示器３ｎを点滅状態に変更し（Ｓ３１４）、前記電子コントローラ１にショーケースケース２の照明をオフにする指令（オフ指令）を送信して（Ｓ３１５）、オフ出力処理１を終了する。
【００２４】
１日停止の表示器３ｎが点滅状態であるときは（Ｓ３１１がＹＥＳ）、前記保存部２３のスケジュール時刻保存部に特別なプログラム１のオン時刻とオフ時刻が記憶されているか否かを判定する（Ｓ３１６）。その結果、特別なプログラム１のオン時刻とオフ時刻が設定されているときは、現在時刻が特別なプログラム１のオフ時刻でないか否かを判定し（Ｓ３１７）、オフ時刻でないときには、このオフ出力処理１を終了する。一方、現在時刻が特別なプログラム１のオフ時刻に一致しているときは（Ｓ３１７がＮＯ）、前記保存部２３のスケジュール時刻保存部に記憶されている特別なプログラム１のオフ時刻をクリアする（ヌルに書き換える）（Ｓ３１８）。そして、１日停止の表示器３ｎを消灯し（Ｓ３１９）、電子コントローラ１にオフ指令を送信する（Ｓ３２０）。
特別なプログラム１のオン／オフ時刻の設定がなされておらず、前記ステップＳ３１６の判定結果がＮＯのときは、現在時刻が通常のスケジュールのオフ時刻でないか否かを判定し（Ｓ３２１）、オフ時刻でないときは、このオフ出力処理１を終了する。一方、現在時刻が通常のスケジュールのオフ時刻と一致したときには（Ｓ３２１がＮＯ）、１日停止の表示器３ｎを消灯し（Ｓ３１９）、電子コントローラ１にオフ指令を送信して（Ｓ３２０）、このオフ出力処理１を終了する。
【００２５】
このように、このオフ出力処理１では、前記１日停止の表示器３ｎが点灯状態であるときは通常スケジュールのオフ時刻となったときに点滅状態に変更する。そして、表示器３ｎが点滅状態である場合に、特別なプログラム１が設定されていないときには、通常のスケジュールのオフ時刻に従って電子コントローラ１にオフ指令を送信し、特別なプログラム１が設定されているときには、特別なプログラム１のオフ時刻に従って電子コントローラ１にオフ指令を送信する処理を行う。
【００２６】
図１２は、スケジュール制御２日停止又は特別なプログラム２に対応するオフ出力処理２（Ｓ３３０）のフローチャートである。
この処理では、２日停止の表示器３ｏが点滅しているか否かを判定し（Ｓ３３１）、点滅していないときは連続点灯しているか否かを判定する（Ｓ３３２）。表示器３ｏが点滅も点灯もしていないとき、及び、点灯はしているが現在時刻が通常のスケジュールのオフ時刻ではないとき（Ｓ３３３がＮＯ）には、このオフ出力処理２を終了する。表示器３ｏが点灯しており、現在時刻が通常のスケジュールのオフ時刻であるとき（Ｓ３３３がＹＥＳ）には、２日停止の表示器３ｏを点滅状態に変更し（Ｓ３３４）、電子コントローラ１にオフ指令を送信して（Ｓ３３５）、このオフ出力処理２を終了する。
一方、２日停止の表示器３ｏが点滅状態であるときには（Ｓ３３１がＹＥＳ）、前記保存部２３のスケジュール時刻保存部に特別なプログラム２のオン時刻とオフ時刻が記憶されているか否かを判定する（Ｓ３３６）。その結果、特別なプログラム２が設定されているときは、現在時刻が特別なプログラム２のオフ時刻と一致していないか否かを判定し（Ｓ３３７）、一致していないときはこのオフ出力処理２を終了する。現在時刻が特別なプログラム２のオフ時刻であるときは、特別なプログラム２のオフ時刻をクリアし（Ｓ３３８）、２日停止の表示器３ｏを消灯して（Ｓ３３９）、電子コントローラ１にオフ指令を送信し（Ｓ３４０）、１日停止の表示器３ｎを点滅させて（Ｓ３４１）、このオフ出力処理２を終了する。
また、特別なプログラム２が設定されていないとき（Ｓ３３６がＮＯ）は、現在時刻が通常のスケジュールのオフ時刻と一致していないかどうかを判定し、オフ時刻ではないときはこのまま、オフ時刻であるときは、表示器３ｏを消灯し、電子コントローラ１にオフ指令を送信し、表示器３ｎを点滅させて（Ｓ３３９〜Ｓ３４１）、このオフ出力処理２を終了する。
【００２７】
このように、このオフ出力処理２では、２日停止の表示器３ｏが点灯状態の場合は、通常のスケジュールのオフ時刻になったときに、電子コントローラ１にオフ指令を送信するとともに、２日停止の表示器３ｏを点滅状態に変更する。また、２日停止の表示器３ｏが点滅している場合には、特別なプログラム２が設定されているときにはそのオフ時刻となったときに、特別なプログラム２が設定されていないときには通常のスケジュールのオフ時刻となったときに、電子コントローラ１にオフ指令を送信するとともに、２日停止の表示器３ｏを消灯して１日停止の表示器３ｎを点滅させる処理を行う。
【００２８】
図１３は、通常のスケジュールに対応するオフ出力処理３のフローチャートである。
この処理では、まず、１日停止の表示器３ｎ、２日停止の表示器３ｏ及び停止の表示器３ｐの全てが消灯しているか否かが判定される（Ｓ３５１）。表示器３ｎ〜３ｐが全て消灯している通常のスケジュール制御の状態でないときは、この処理を終了する。また、表示器３ｎ〜３ｐが全て消灯しているときであっても、現在時刻が通常のスケジュールのオフ時刻に一致していないとき（Ｓ３５２がＮＯ）のときには、この処理を終了する。
表示器３ｎ〜３ｐが全て消灯しており、現在時刻が通常のスケジュールのオフ時刻に一致するときは（Ｓ３５２がＹＥＳ）、電子コントローラ１にオフ指令を送信し（Ｓ３５３）、このオフ出力処理３を終了する。
このように、このオフ出力処理３では、表示器３ｎ〜３ｐが全て消灯している通常のスケジュール制御時に、通常のスケジュールのオフ時刻に、電子コントローラ１にオフ指令を送信する処理が行われる。
【００２９】
図１４は、スケジュール停止処理に対応するオフ出力処理４のフローチャートである。
この処理では、まず、停止の表示器３ｐが点滅状態であるか否かが判定される（Ｓ３７１）。
停止の表示器３ｐが点滅しているときは、現在時刻が通常のスケジュールのオフ時刻と一致していないか否かを判定し（Ｓ３７２）、一致しているときは前記電子コントローラ１にオフ指令を送信し（Ｓ３７３）、一致していないときはそのまま、このオフ出力処理４を終了する。
一方、停止の表示器３ｐが点滅していないときは、停止の表示器３ｐが点灯（連続点灯）しているか否かを判定する（Ｓ３７４）。その結果がＮＯのときは、このオフ出力処理４を終了する。
また、停止の表示器３ｐが点灯しているときは（Ｓ３７４がＹＥＳ）、現在時刻が通常のスケジュールのオフ時刻と一致しているか否かを判定し、一致していないときは、そのまま、このオフ出力処理４を終了する。
そして、現在時刻が通常のスケジュールのオフ時刻であるとき（Ｓ３７５がＹＥＳ）は、停止の表示器３ｐを点滅状態とした（Ｓ３７６）後、電子コントローラ１にオフ指令を送信して（Ｓ３７３）、このオフ出力処理４を終了する。
このように、このオフ出力処理４では、通常のスケジュールのオフ時刻となったときに、前記停止の表示器３ｐが点灯状態であるときには該表示器３ｐを点滅状態に変更する処理と、電子コントローラ１に対してオフ指令を送信する処理を行う。
【００３０】
このように、オフ出力処理（Ｓ３００）では、１日停止の表示器３ｎ、２日停止の表示器３ｏ及び停止の表示器３ｐの点灯及び点滅状態に応じて、また、特別なプログラム１及び２が設定されているか否かに応じて、通常のスケジュール又は特別なプログラム１、２のオフ時刻となったときに、前記表示器３ｎと３ｏの点灯／点滅状態を遷移させる処理と、電子コントローラ１に対してオフ指令を送信してショーケースの照明を消灯する処理とを行う。
【００３１】
図１５は、前記オン出力処理（Ｓ４００）の処理の流れを示すフローチャートである。
この処理では、まず、表示器３ｎ〜３ｐが全て消灯しているか否かを判定する（Ｓ４０１）。その結果、全て消灯しているとき（通常のスケジュール制御状態であるとき）には、現在時刻が通常スケジュールのオン時刻と一致しているか否かを判定し（Ｓ４０２）、オン時刻であるときには電子コントローラ１にオン指令を送信してショーケースの照明を点灯させて（Ｓ４０３）、このオン出力処理を終了する。
表示器３ｎ〜３ｐが全て消灯している状態でない場合（Ｓ４０１がＮＯ）には、１日停止の表示器３ｎが点滅しているか否かを判定する（Ｓ４０４）。１日停止の表示器３ｎが点滅しているときは、現在時刻が特別なプログラム１のオン時刻と一致するか否かを判定する（Ｓ４０５）。特別なプログラム１が設定されていない場合又は特別なプログラム１が設定されていても現在時刻がそのオン時刻と一致していないとき（Ｓ４０５がＮＯ）は、このオン出力処理を終了する。特別なプログラム１が設定されており、現在時刻がそのオン時刻と一致するとき（Ｓ４０５がＹＥＳ）、特別なプログラム１のオン時刻をクリアし、すなわち、ヌルに書き換えて（Ｓ４０６）、電子コントローラ１にオン指令を送信して（Ｓ４０７）、このオン出力処理を終了する。
【００３２】
また、１日停止の表示器３ｎが点滅していないとき（Ｓ４０４がＮＯ）は、２日停止の表示器３ｏが点滅しているか否かを判定する（Ｓ４０８）。２日停止の表示器３ｏが点滅しているときは、現在時刻が特別なプログラム２のオン時刻に一致するか否かを判定する（Ｓ４０９）。特別なプログラム２が設定されていないとき、又は、特別なプログラム２が設定されていても、現在時刻がそのオン時刻と一致していないとき（Ｓ４０９がＮＯ）、そのまま、このオン出力処理を終了する。一方、特別なプログラム２が設定されており、現在時刻がそのオン時刻と一致するとき（Ｓ４０９がＹＥＳ）は、特別なプログラム２のオン時刻をクリアし（Ｓ４１０）、電子コントローラ１にオン指令を送信して（Ｓ４０７）、このオン出力処理を終了する。
このように、１日停止の表示器３ｎ又は２日停止の表示器３ｏが点滅している場合には、通常のスケジュールのオン時刻になってもオン指令が送信されることはない。１日停止の表示器３ｎが点滅しているときに特別なプログラム１が設定されていれば、そのオン時刻にオン指令が送信され、２日停止の表示器３ｏが点滅しているときに特別なプログラム２が設定されていれば、そのオン時刻にオン指令が送信される。
【００３３】
以上のように、本発明においては、前記表示器３ｎ〜３ｐが全て消灯しているときに通常のスケジュール制御を行うようになされており、前記スケジュールキー３ｋの押下回数に応じて、１日停止の表示器３ｎ及び２日停止の表示器３ｏの点灯／点滅の状態を順次遷移させ、オフ時刻の経過により、前記各表示器３ｎ、３ｏの状態を前記とは逆の方向に遷移させることにより、設定した回数（日数）のオン制御を停止させるようにしている。すなわち、前記表示器３ｎ、３ｏの点灯／点滅状態は、スケジュールキー３ｋの操作回数を表しており、オフ時刻により該操作回数が減算されるようになされている。なお、前記スケジュールキー３ｋが所定回数を超えて押下（本実施の形態では３回押下）されると表示器３ｐが点灯されてスケジュール制御の停止の設定回数はキャンセルされ、スケジュール制御を停止（照明のスケジュール制御のオン制御を連続的に禁止してオフ制御のみ実行する）状態となる。前記表示器３ｐが点灯状態（スケジュール制御を停止）の状態でさらに前記スケジュールキー３ｋを押下すると表示器３ｐが（３ｎ、３ｏも）消灯されることで、通常のスケジュール制御を実行することになる。
また、特別なプログラム１又は２が設定されている場合には、通常のスケジュールに替えて該特別なプログラム１又は２を実行させることができる。
これにより、スケジュール制御の禁止の設定などの状態を分かりやすく表示することができるとともに、設定した回数（日数）のオン制御の禁止又は特別なプログラムに従う制御を行った後に自動的に通常のスケジュール制御に戻ることが可能となる。
【００３４】
前記スケジュールキー３ｋを操作してスケジュール制御を１日又は２日間停止させる場合、及び、特別なプログラム１、２により制御を行うときの動作について、具体例に基づいて説明する。
図１６は、特別なプログラムを設定せずにスケジュール制御を停止させる場合の動作例を示す図であり、（ａ）は前記スケジュールキー３ｋを１回押下したとき、（ｂ）は２回押下したときのスケジュール制御動作について説明するためのタイムチャートである。ここでは、毎日10:00（オン時刻）にオン制御（点灯）され、22:00（オフ時刻）にオフ制御（消灯）されるように制御スケジュールが設定されているものとしている。
なお、本発明においては、オン時刻とオフ時刻が同じ日に属している場合に限らず、例えば、オン時刻が10:00、オフ時刻が翌日の5:00のように、オフ時刻がオン時刻の翌日となる場合であってもよい。すなわち、本発明においては、オン時刻から次のオン時刻までを１日として扱う。
また、本発明は、オン時刻からオフ時刻までが日替わりで跨ぐものであってよいし、２４時間以内に複数回オンオフ制御を行う場合等にも適用することも可能である。
【００３５】
（スケジュール制御１日停止の場合）
図１６の（ａ）はスケジュール制御を１日停止する場合のタイムチャートである。これは、休業日が１日である場合に相当する。
通常のスケジュールのオン時刻とオフ時刻の間（ショーケース２の照明オン）の時点（１）に図４（ｂ）のスケジュールキー３ｋが１回押下されたとする。この時点（１）は、例えば、休業日の前日の営業時間中である。この操作により、前記ステップＳ２０１（図８）がＹＥＳ、Ｓ２０２がＹＥＳとなり、１日停止の表示器３ｎが点灯（連続点灯）される（Ｓ２０３）。このとき、スケジュール制御によるショーケース２の照明オン状態はそのまま継続される。また、この例では、特別なプログラム制御は行わないものとしているので、Ｓ２０４では特別なプログラム１は設定されず、Ｓ２０５はＮＯとなる。なお、スケジュールキー３ｋが操作されたタイミングが通常のスケジュールのオフ時刻とオン時刻の間（休業日の前日の営業時間後）であるときは、前記表示器３ｎは点灯状態から点滅状態となる（Ｓ２０７，Ｓ２０８）。
【００３６】
その後、現在時刻がスケジュールのオフ時刻（２）（当日の22:00）になると、ショーケース２の照明オフが実行され、１日停止の表示器３ｎが点滅状態となって、次のスケジュール制御のオン制御が禁止されることを表示する。すなわち、前記図１１のＳ３１１がＮＯ、Ｓ３１２がＹＥＳ、Ｓ３１３がＹＥＳとなり、Ｓ３１４が実行される。この後、時刻が通常のスケジュールのオン時刻（本例では、翌日の10:00）になってもスケジュール制御のオン制御は実行されない。すなわち、図１５において、Ｓ４０４はＹＥＳであるが、現在時刻と通常のスケジュールのオン時刻との比較は行われないため、電子コントローラ１にオン指令は送信されない。なお、図１６の（ａ）では、点線でオン制御が禁止されたことを示している。
そして、通常のスケジュールのオフ時刻（３）（翌日の22:00）となり、１日停止の制御が終了したことにより１日停止の表示器３ｎを消灯する。すなわち、前記図１１のＳ３１１がＹＥＳ、Ｓ３１６がＮＯ、Ｓ３２１がＮＯとなり、Ｓ３１９が実行される。これにより、全ての表示器３ｎ〜３ｐが消灯状態となり、通常のスケジュール制御に戻る。
【００３７】
（スケジュール制御２日間停止の場合）
次に、スケジュール制御を２日間停止する場合の制御動作について説明する。これは、２日間連続して休業日である場合に相当する。
図１６の（ｂ）はスケジュール制御を２日間停止する場合のタイムチャートである。
通常のスケジュールのオン時刻とオフ時刻の間（ショーケース２の照明オン）の時刻（１）に図４（ｂ）のスケジュールキー３ｋが２回押下されると、前記判断部２７は、２日停止の表示器３ｏを点灯（連続点灯）させる。すなわち、前記スケジュールキー３ｋが１回押下されると、前述と同様に、１日停止の表示器３ｎが点灯される（図８のＳ２０３）。続いて、スケジュールキー３ｋが１回押下されると、図８のＳ２０２がＮＯ、Ｓ２０９がＹＥＳとなり、Ｓ２１０が実行されて、１日停止の表示器３ｎが消灯され、２日停止の表示器３ｏが点灯される。このとき、スケジュール制御によるショーケース２の照明オン状態はそのまま継続される。ここでは、特別なプログラム制御は行わないものとしているので、Ｓ２１１では特別なプログラム２は設定されず、Ｓ２１２はＮＯとなる。なお、現在時刻が通常のスケジュールのオフ時刻とオン時刻の間であるときは前記表示器３ｏは連続点灯状態から点滅状態となる（Ｓ２１５）。
【００３８】
その後、現在時刻が（２）で示す通常のスケジュールのオフ時刻（当日の22:00）になると、ショーケース２の照明オフを実行し、２日停止の表示器３ｏを点滅させて、次とその次のスケジュール制御のオン制御が禁止されることを表示する。すなわち、図１２のＳ３３１がＮＯ、Ｓ３３２がＹＥＳ、Ｓ３３３がＹＥＳとなり、Ｓ３３４とＳ３３５が実行される。この状態において、時刻が通常のスケジュールのオン時刻（本例では、翌日の10:00）になっても、スケジュール制御のオン制御は実行されない。すなわち、図１５において、Ｓ４０８がＹＥＳとなっても、現在時刻と通常のスケジュールのオン時刻との比較は行われず、電子コントローラ１にオン指令が送信されることはない。
そして、（３）で示す次のスケジュールの通常のスケジュールのオフ時刻（翌日の22:00）になると、２日間の停止でなくなったことにより２日停止の表示器３ｏを消灯し、次のスケジュール制御のオン制御を禁止されていることを示すために１日停止の表示器３ｎを点滅させる。すなわち、図１２のＳ３３１がＹＥＳ、Ｓ３３６がＮＯ、Ｓ３４２がＮＯとなり、Ｓ３３９〜Ｓ３４１が実行される。
そして、（４）で示す次の通常のスケジュールのオフ時刻（翌々日の22:00）になると、１日停止の制御が終了したことにより１日停止の表示器３ｎを消灯する。すなわち、図１１のＳ３１１がＹＥＳ、Ｓ３１６がＮＯ、Ｓ３２１がＮＯとなり、Ｓ３１９が実行される。これにより、全ての表示器３ｎ〜３ｐが消灯され、通常のスケジュール制御に戻ることとなる。
【００３９】
このように、特別なプログラムを設定しない場合には、スケジュールキー３ｋを１回押下することにより翌日のスケジュール制御のオン制御を禁止することができ、２回押下することにより翌日と翌々日の２日間のスケジュール制御のオン制御を禁止することができる。そして、該禁止の期間が経過すると自動的に通常のスケジュール制御に戻ることができる。
したがって、操作者は、休業日の前日又は前々日にスケジュールキー３ｋを操作するという簡単な操作で、休業日に対応することができる。
【００４０】
次に、特別なプログラム１及び２を設定する場合の動作について、図１７のタイムチャートを参照して説明する。
（スケジュール制御１日を特別なプログラム１に置き換えて実行する場合）
図１７の（ａ）は、１日分のスケジュール制御を特別なプログラム１に置き換えて実行する場合のタイムチャートである。ここでは、前記図５の（ａ）に示した例のように、オン時刻が9:30、オフ時刻が（翌日の）1:30とされた特別なプログラム１が設定されるものとして説明する。
前記図１６の（ａ）の場合と同様に、通常のスケジュールのオン時刻とオフ時刻の間の時点（１）に前記スケジュールキー３ｋが１回押下されたとする。これにより、前述のようにして１日停止の表示器３ｎが点灯（連続点灯）する。そして、この場合は、前記図８のＳ２０４の特別なプログラムの入力処理において、特別なプログラム１のオン時刻とオフ時刻の設定操作が行われる。すなわち、前記図９のＳ２３０がＹＥＳ、Ｓ２３５がＹＥＳとなり、設定された特別なプログラム１のオン時刻とオフ時刻が前記保存部のスケジュール時刻保存部に記憶される。ここでは、前記図５の（ａ）の例のように、特別なプログラム１のオン時刻として9:30、オフ時刻として1:30が設定されたものとする。なお、時点（１）は通常のスケジュールのオフ時刻よりも前であるので、Ｓ２０６（図８）はＮＯとなり、表示器３ｎは点灯状態のままである。
【００４１】
そして、現在時刻が通常のスケジュールのオフ時刻（２）（当日の22:00）になると、前述と同様に、ショーケース２の照明オフが実行され、１日停止の表示器３ｎが点滅状態となる。
その後、現在時刻が特別なプログラム１のオン時刻（翌日の9:30）になると、前記オン出力処理（図１５）において、Ｓ４０１はＮＯ，Ｓ４０４はＹＥＳ，Ｓ４０５がＹＥＳとなり、前記保存部２３に記憶されている特別なプログラム１のオン時刻がクリアされる（Ｓ４０６）とともに、電子コントローラ１からオン指令が送信され（Ｓ４０７）、ショーケースケースの照明がオンされる。
そして、現在時刻が特別なプログラム１のオフ時刻（翌々日の1:30）（３’）になると、前記オフ出力処理１（図１１）において、Ｓ３１１がＹＥＳ，Ｓ３１６がＹＥＳ，Ｓ３１７がＮＯとなり、前記保存部２３における特別なプログラム１のオフ時刻がクリアされ（Ｓ３１８）、表示器３ｎが消灯され（Ｓ３１９）、電子コントローラ１にオフ指令が送信されて（Ｓ３２０）、ショーケース２の照明がオフされる。
この後は、表示器３ｎ〜３ｐが全て消灯されているため、通常のスケジュール制御が行われることとなる。
【００４２】
（スケジュール制御２日間を特別なプログラム１、２に置き換えて実行する場合）
図１７の（ｂ）は、２日分のスケジュール制御を特別なプログラム１と２に置き換えて実行する場合のタイムチャートである。ここでは、前記図５の（ｂ）に示した例のように、特別なプログラム１のオン時刻が9:30、オフ時刻が1:30、特別なプログラム２のオン時刻が9:30、オフ時刻が21:30に、それぞれ設定されるものとして説明する。
前述の場合と同様に、通常のスケジュールのオン時刻とオフ時刻の間の時点（１）に前記スケジュールキー３ｋが１回押下されたとする。これにより、前述のように、１日停止の表示器３ｎが点灯する。そして、前記図８のＳ２０４の特別なプログラムの入力処理において、特別なプログラム１のオン時刻（9:30）とオフ時刻（1:30）が設定され、前記保存部２３のスケジュール時刻保存部に記憶される（図９のＳ２３０，Ｓ２３５、Ｓ２３６）。
続いて、前記スケジュールキー３ｋがさらに１回押下されると、前述のように、１日停止の表示器３ｎが消灯され、２日停止の表示器３ｏが点灯される（図８のＳ２０１がＹＥＳ，Ｓ２０２がＹＥＳ，Ｓ２０９がＹＥＳ）。
そして、Ｓ２１１の特別なプログラムの入力処理において、特別なプログラム２のオン時刻とオフ時刻の設定操作が行われる。すなわち、図９のＳ２３０がＮＯ，Ｓ２３１がＹＥＳ，Ｓ２３２がＹＥＳとなり、特別なプログラム２のオン時刻（9:30）とオフ時刻（21:30）が前記保存部２３のスケジュール時刻保存部に記憶される（Ｓ２３３）。
【００４３】
そして、現在時刻が通常のスケジュールのオフ時刻（２）（当日の22:00）になると、前述と同様に、ショーケースケース２の照明オフが実行され、２日停止の表示器３ｏが点滅状態となる（図１２のＳ３３１，Ｓ３３２，Ｓ３３３，Ｓ３３４，Ｓ３３５が実行される）。
その後、現在時刻が特別なプログラム２のオン時刻（翌日の9:30）になると、前記オン出力処理（図１５）において、Ｓ４０１がＮＯ，Ｓ４０４がＮＯ，Ｓ４０８がＹＥＳ、Ｓ４０９がＹＥＳとなり、特別なプログラム２のオン時刻がクリアされる（Ｓ４１０）とともに、電子コントローラ１にオン指令が送信され（Ｓ４０７）、ショーケース２の照明がオンとされる。
その後、現在時刻が特別なプログラム２のオフ時刻（翌日の21:30）（３’）になると、前記オフ出力処理２（図１２）において、Ｓ３３１がＹＥＳ，Ｓ３３６がＹＥＳ，Ｓ３３７がＮＯとなり、特別なプログラム２のオフ時刻がクリアされ（Ｓ３３８）、２日停止の表示器３ｏが消灯し（Ｓ３３９）、電子コントローラ１にオフ指令が送信されてショーケースケース２の照明がオフとされ（Ｓ３４０）、１日停止の表示器３ｎが点滅状態にされる。
【００４４】
そして、特別なプログラム１のオン時刻（翌々日の9:30）になると、前記オン出力処理（図１５）において、Ｓ４０１がＮＯ，Ｓ４０４がＹＥＳ，Ｓ４０５がＹＥＳとなり、特別なプログラム１のオン時刻がクリアされる（Ｓ４０６）とともに、電子コントローラ１にオン指令が送信され（Ｓ４０７）、ショーケース２の照明がオンとされる。
その後、特別なプログラム１のオフ時刻（翌々々日の1:30）（４’）になると、前記オフ出力処理１（図１１）において、Ｓ３１１がＹＥＳ，Ｓ３１６がＹＥＳ，Ｓ３１７がＮＯとなり、特別なプログラム１のオフ時刻がクリアされ（Ｓ３１８）、１日停止の表示器３ｎが消灯され（Ｓ３１９）、電子コントローラ１にオフ指令が送信されて（Ｓ３２０）、ショーケース２の照明がオフにされる。
その後は、各表示器３ｎ〜３ｐがいずれも消灯状態であり、特別なプログラム１及び２もクリアされているため、通常のスケジュール制御が行われることとなる。
このように、本発明によれば、特別なプログラムを設定した場合には、通常のスケジュールに替えて特別なプログラムによる制御を行うことができ、特別なプログラムによる制御が行われた後は、自動的に通常のスケジュール制御状態に戻ることができる。
【００４５】
前記図１６の（ｂ）では２日間のスケジュール制御を停止する場合を示し、前記図１７の（ｂ）では、２日間のスケジュール制御を特別なプログラム１、２に置き換える場合を示したが、２日間のうち、１日のスケジュール制御を停止し、他の１日のスケジュール制御を特別なプログラムに置き換えることもできる。
図１８はこのような制御を行なう場合の例を示す図であり、（ａ）は１日目のスケジュール制御を特別なプログラムに置き換え、２日目のスケジュール制御を停止する場合、（ｂ）は１日目のスケジュール制御を停止し、２日目のスケジュール制御を特別なプログラムに置き換える場合を示す図である。
前記図１７の（ｂ）と同様にスケジュールキー３ｋを２回押下するときに、１回目の押下の後の特別なプログラムの入力処理（図８におけるＳ２０４）において特別なプログラム１のオン時刻とオフ時刻を設定せず、２回目の押下の後の特別なプログラムの入力処理（Ｓ２１１）において特別なプログラム２のオン時刻とオフ時刻を設定したときには、図１８の（ａ）に示すように、１日目に特別なプログラム２が実行され、２日目にスケジュール制御が禁止されることとなる。
また、スケジュールキー３ｋの１回目の押下の後の特別なプログラムの入力処理（Ｓ２０４）において特別なプログラム１のオン時刻とオフ時刻を設定し、２回目の押下の後の特別なプログラムの入力処理（Ｓ２１１）において特別なプログラム２のオン時刻とオフ時刻を設定しなかったときは、図１８の（ｂ）に示すように、１日目はスケジュール制御を禁止し、２日目に特別なプログラム１が実行されることとなる。
【００４６】
なお、上述した実施の形態においては、特別なプログラムを設定する場合に、先に設定される特別なプログラム１が実行される日（上述の例では翌々日）が、後に設定される特別なプログラム２が実行される日（翌日）よりも後になっているが、逆に、先に設定される特別なプログラムが先に実行され、後に設定される特別なプログラムが後に実行されるようにしてもよい。また、この場合に、表示器３ｎと３ｏの点滅順序を逆にしてもよい。
また、上述した実施の形態においては、前記保存部２３のスケジュール時刻保存部にと特別なプログラムのオン時刻とオフ時刻を記憶する領域を設けて、特別なプログラムによる制御を実行することができるようにしていたが、特別なプログラムを設定する機能を省略してより簡単な構成とすることもできる。この場合には、単に、スケジュール制御のオン制御を所定回数禁止する機能のみを有することとなる。
さらに、上述した実施の形態においては、特別なプログラム１と２の２個の特別なプログラムを設定できるようにしたがさらに多くの特別なプログラムを設定できるようにしてもよいし、１個の特別なプログラムのみを設定できるようにしてもよい。
【００４７】
さらにまた、上記においては、スケジュール制御で制御されるショーケース２の照明は１つ（棚照明）であるものとして説明してきたが、通常、ショーケース２には棚照明と作業灯（キャノピー）の２種類の照明がある。前記図４（ｂ）では作業灯（キャノピー）の点灯／消灯はキー（キャノピー）により人手により行う形態を示している。
この作業灯は前記棚照明と共に前記スケジュール制御により実行することも可能である。例えば、作業灯を棚照明と共に前記スケジュール制御により制御する場合は、通常のスケジュールのオン時刻の所定時間（例えば３０分）前にまず、作業灯にオン制御を実行し、その後、オン時刻に棚照明にオン制御を実行する。さらに、スケジュール制御のオフ制御では、オフ時刻にまず棚照明にオフ制御を実行し、所定時間（例えば３０分）後に作業灯にオフ制御を実行する制御を追加する形態であってもよい。
また、別の制御形態として、作業灯と棚照明のスケジュール時刻をそれぞれ独立に保存し、それぞれ独立したスケジュール制御を実行できるようにしてもよい。
【図面の簡単な説明】
【００４８】
【図１】本発明の集中監視装置が適用されるシステムの全体構成を示すシステム構成図である。
【図２】本発明の集中監視装置である上位制御機器のブロック構成図である。
【図３】上位制御機器の外観図である。
【図４】上位制御機器の表示・操作部を示す図であり、（ａ）は表示・操作部Ａ（２４）を拡大して示す図、（ｂ）は表示・操作部Ｂ（２５）を拡大して示す図である。
【図５】保存部２３におけるスケジュール時刻保存部にスケジュール時刻が保存されている様子を示す図である。
【図６】スケジュール制御メイン処理のフロー図である。
【図７】時刻パターン登録処理のフロー図である。
【図８】スケジュール状態変更処理のフロー図である。
【図９】スケジュール制御１日停止処理のフロー図である。
【図１０】オフ出力処理のフロー図である。
【図１１】オフ出力処理１のフロー図である。
【図１２】オフ出力処理２のフロー図である。
【図１３】オフ出力処理３のフロー図である。
【図１４】オフ出力処理４のフロー図である。
【図１５】オン出力処理のフロー図である。
【図１６】特別なプログラムを設定しないときのスケジュール制御動作について説明するための図である。
【図１７】特別なプログラムを設定するときのスケジュール制御動作について説明するための図である。
【図１８】１日のスケジュール制御を停止し、他の１日を特別なプログラムに従って制御する例について説明するための図である。
【符号の説明】
【００４９】
１：電子コントローラ、２：冷却装置、２０：上位制御機器、２１：通信部、２２：記憶部、２３：保存部、２４：表示・操作部Ａ、２５：表示・操作部Ｂ、２６：時計管理部、２７：判断部、３ａ：時表示器、３ｂ：分表示器、３ｃ：モード設定表示器、３ｄ：アップキー、３ｅ：ダウンキー、３ｆ：選択キー、３ｇ：確定キー、３ｋ：スケジュールキー、３ｎ：１日停止の表示器、３ｏ：２日停止の表示器、３ｐ：停止の表示器
【図１】
2008047322.tif 000003
【図２】
2008047322.tif 000004
【図３】
2008047322.tif 000005
【図４】
2008047322.tif 000006
【図５】
2008047322.tif 000007
【図６】
2008047322.tif 000008
【図７】
2008047322.tif 000009
【図８】
2008047322.tif 000010
【図９】
2008047322.tif 000011
【図１０】
2008047322.tif 000012
【図１１】
2008047322.tif 000013
【図１２】
2008047322.tif 000014
【図１３】
2008047322.tif 000015
【図１４】
2008047322.tif 000016
【図１５】
2008047322.tif 000017
【図１６】
2008047322.tif 000018
【図１７】
2008047322.tif 000019
【図１８】
2008047322.tif 000020